(57)【要約】【課題】２つの課題を解決する生物学的接着剤。第１の課題は、生物組織上への塗布前にフィブリンを形成する危険のない、血漿凝固因子を含有するトロンビンフリーの生物学的接着剤を提供することである。第２の課題は、傷害性組織の止血能力を増加させ、更に結合組織の治癒を促進する、かかる接着剤の製造を可能にすることである。【解決手段】第ＶＩＩａ因子及びカルシウムイオン供給源を含んでなる、安定な、トロンビンフリーの、フィブリノーゲンベースの、単一液体製剤の、治療用の生物学的接着剤。【選択図】なし【特許請求の範囲】
【請求項１】
トロンビンを含まない、フィブリノーゲンベースの、安定な、単一液体製剤の、治療用の生物学的接着剤であって、第ＶＩＩａ因子及びカルシウムイオン供給源を含有する生物学的接着剤。
【請求項２】
フィブリノーゲン、ＦＶＩＩａ及びカルシウムイオンのみの混合物を含んでなる、請求項１記載の生物学的接着剤。
【請求項３】
最終的な液体状の生物学的接着剤溶液に含まれるフィブリノーゲン含有量が６０〜１２０ｍｇ／ｍＬである、請求項１又は２記載の生物学的接着剤。
【請求項４】
最終的な液体状の生物学的接着剤溶液に含まれるフィブリノーゲン含有量が８０〜１００ｍｇ／ｍＬである、請求項３記載の生物学的接着剤。
【請求項５】
最終的な液体状の生物学的接着剤溶液中に含まれる活性化第ＶＩＩ因子が、１ｍＬあたり５０〜５００ＩＵ（５０−５００ＩＵ／ｍＬ）である、請求項１から４のいずれか１項記載の生物学的接着剤。
【請求項６】
７０〜３００ＩＵ／ｍＬ、好適には８０〜１２０ＩＵ／ｍＬの活性化第ＶＩＩ因子が含まれる、請求項５記載の生物学的接着剤。
【請求項７】
最終的な液体状の生物学的接着剤溶液中に含まれるカルシウムイオン供給源が、４〜３０μｍｏｌｓ／ｍＬの濃度である、請求項１から６のいずれか１項記載の生物学的接着剤。
【請求項８】
前記カルシウムイオン供給源が、８〜２０μｍｏｌｓ／ｍＬの濃度である、請求項７記載の生物学的接着剤。
【請求項９】
第ＸＩＩＩ因子を更に含んでなる、請求項１から８のいずれか１項記載の生物学的接着剤。
【請求項１０】
最終的な液体状の生物学的接着剤溶液中に含まれる前記第ＸＩＩＩ因子が、１ｍＬあたり１００ＩＵ〜４００ＩＵ（１００ＩＵ／ｍＬ〜４００ＩＵ／ｍＬ）である、請求項９記載の生物学的接着剤。
【請求項１１】
長期の貯蔵に適しが冷凍形態である、請求項１から１０のいずれか１項記載の生物学的接着剤。
【請求項１２】
トロンビンを含まない、フィブリノーゲンベースの治療用の生物学的接着剤であって、請求項１から１１のいずれか１項記載の第ＶＩＩａ因子及びカルシウムイオン供給源を含み、長期の貯蔵に適する凍結乾燥形態である、生物学的接着剤。
【請求項１３】
薬学的に許容できる凍結乾燥安定剤としての成分、好ましくはアルギニン、少なくとも１つの疎水性アミノ酸及びクエン酸三ナトリウムの混合物を含んでなる、請求項１２記載の生物学的接着剤。
【請求項１４】
凍結乾燥させたフィブリノーゲン血漿因子のバッチ、凍結乾燥させたＦＶＩＩａ血漿因子のバッチ、粉末状のカルシウムイオン供給源のバッチ、及び水性溶媒を含んでなるパッケージング手段を含んでなる、請求項１から１１のいずれか１項記載の生物学的接着剤の調製用のキット。
【請求項１５】
前記パッケージング手段が、接着剤の少なくとも３つの異なる成分に関して各々少なくとも１つの容器を更に含んでなる、請求項１４記載のキット。
【請求項１６】
前記パッケージング手段が少なくとも３つの成分を含有する単一の容器である、請求項１４又は１５記載のキット。
【請求項１７】
前記水性溶媒を用いて前記バッチを溶解させることにより調製した、液状の接着剤を保持する手段を含んでなる、請求項１４から１６のいずれか１項記載のキット。
【請求項１８】
前記凍結乾燥させた血漿因子バッチと、粉末状のカルシウムイオン供給源バッチの混合物の２成分バッチを含む、請求項１４から１７のいずれかに１項記載のキット。
【請求項１９】
凍結乾燥させたフィブリノーゲン又はＦＶＩＩａ血漿因子の各バッチ、又は前記凍結乾燥させた血漿因子のバッチの混合物の２成分バッチが、薬学的に許容できる凍結乾燥安定剤の成分を含んでなる、請求項１４から１８のいずれか１項記載のキット。
【請求項２０】
前記安定剤の成分が、アルギニン、少なくとも１つの疎水性アミノ酸及びクエン酸三ナトリウムの混合物である、請求項１９記載のキット。
【請求項２１】
生物学的適合性を有する水性溶媒中で、前記キット中の３つのバッチを再調製し、更に必要に応じて凍結させることにより、請求項１から１２のいずれか１項記載の生物学的接着剤を調製するための、請求項１４から２０のいずれか１項記載のキットの使用。
【請求項２２】
薬剤として使用するための、請求項１から１３のいずれか１項記載の生物学的接着剤。
【請求項２３】
止血及び／又は傷害を受けた生物組織の治癒を目的とする薬剤の調製のための、請求項１から１３のいずれか１項記載の生物学的接着剤の使用。
【請求項２４】
前記傷害を受けた組織が、血管組織又は出血損傷である、請求項２３記載の使用。
【請求項２５】
前記傷害を受けた組織が、外科的に手術できるあらゆる皮膚又は器官である、請求項２３又は２４記載の使用。
【請求項２６】
前記薬剤が前記生物学的接着剤が局所投与用の塗り薬であるか、又はゼラチンカプセルである、請求項２３から２５のいずれか１項記載の使用。
【請求項２７】
傷害を受けた、軟骨、コラーゲン、骨及び骨粉からなる群から選択される組織を治療することを目的とする薬剤の調製への、請求項１から１３のいずれか１項記載の生物学的接着剤及び血漿の使用。
【請求項２８】
アルギン酸塩又はポリ乳酸からなる郡から選択される生体材料を吸収することを目的とする薬剤の調製への、請求項１から１３のいずれか１項記載の生物学的接着剤及び血漿の使用。
【請求項２９】
標的腫瘍の栄養血管において塞栓形成させることを目的とする薬剤の調製への、請求項１から１３のいずれか１項記載の生物学的接着剤の使用。
【発明の詳細な説明】
【技術分野】
【０００１】
本発明は活性化第ＶＩＩ因子及びカルシウムイオン供給源を含有するフィブリノーゲンベースの生物学的接着剤に関する。
【背景技術】
【０００２】
「生物学的接着剤」とは、組織（皮膚、骨、様々な器官）を結合し、同時に傷害を有する組織における止血に関与し、それにより縫合によるこれらの組織の結合を補強又は完全にさせる物質のことを意味する。
【０００３】
血液凝固は、蛋白質分解酵素を介して活性型に変化する血液に存在する各種のプロ酵素及びプロコファクタが関与するカスケード反応によりなされる。この凝固プロセス又はカスケード系は、２つの凝固系（外因性凝固経路及び内因性凝固経路と呼ばれる）に従ってなされ、プロトロンビンがトロンビンに変化する。
【０００４】
外因性経路には、血液中に存在する第ＶＩＩ因子の介入が関与する。しかしながら後者は、この凝固カスケードを開始させるための活性化（第ＶＩＩａ因子）を必要とする。組織傷害の後に放出されるリン脂質性の組織因子と複合体を形成するまで、第ＶＩＩａ因子は低い酵素活性を有する。それにより、第ＶＩＩａ因子の複合体は、カルシウムイオンの存在下で第Ｘ因子（ＦＸ）を第Ｘａ因子（ＦＸａ）に変化させる。第Ｘａ因子は次々にプロトロンビンをトロンビンに変化させ、それは第Ｖ因子（因子Ｖａ）を活性化する。トロンビンはまた、第ＸＩＩＩ因子（第ＸＩＩＩ因子ａ）を活性化する。トロンビンは、カルシウム、組織因子、第Ｖａ因子の存在下でフィブリンに変化することによって、フィブリノーゲンに作用する。第ＸＩＩＩ因子ａの存在により、強固な、接着性のメッシュ状のネットワークを有するフィブリンの凝血塊の形成が可能となり、それは強化瘢痕組織（ネットワークがフレームとして用いられる）の凝結によって段階的に、かつ徐々に再吸収される。このクロスリンクフィブリンは不溶性で、少なくとも瘢痕組織を準備する時間、繊維素溶解酵素によって攻撃されることはない。
【０００５】
内因性凝固経路にも第ＶＩＩａ因子（ＦＶＩＩａ）が関与する。この経路には、第ＸＩＩ因子（ＦＸＩＩ）を介してトロンビンの活性化に至る反応カスケードが含まれている。後者は、リン脂質組織因子（ＦＴ）の存在下で第ＩＸ因子（因子ＩＸａ−ＦＩＸａ）を活性化する第ＸＩ因子（因子ＸＩａ−ＦＸＩａ）を活性化する。因子ＩＸａは、因子ＶＩＩＩａ、組織因子及びカルシウムイオンの存在下で、第Ｘ因子の因子Ｘａへの活性化に関与する。更にプロトロンビンのトロンビンへの変化を生じさせる。因子Ｘａ又はトロンビンの存在により、第ＶＩＩ因子（第ＶＩＩａ因子）の活性化が可能となる点に留意する必要がある。
【０００６】
ゆえに、第ＸＩＩａ因子は内因性凝固機構において顕著な役割を演じ、血餅の形成をもたらすと考えられる。それは循環阻害剤（すなわち第ＶＩＩＩ因子（ＦＶＩＩＩ）の活性化を抑制又は阻害する特異抗体）を伴う血友病Ａを治療する際に使われる。第ＶＩＩａ因子は、第ＶＩＩＩ因子又はＩＸの非存在下においても、出血を引き起こしている組織の病巣の後に放出される組織因子の存在下で局所的に活性を発揮できるという利点を有する。
【０００７】
しかしながら、損傷、損傷又は外部の外科手術によって生じる出血性組織病変の場合、縫合による組織の修復が、上記で説明した機構に従った、特にフィブリンクロットを形成することによる出血の停止に必要となる。特に高度の外科手術の場合、傷害性組織の止血を促進するのに必要であると判断される場合がある。
【０００８】
例えば特許文献１では、トロンビン及び凝固因子フリーの、生物学的適合性を有するビヒクル中に添加された第ＶＩＩａ因子を含んでなる止血組成物、並びにそれを出血損傷に適用し、止血及びフィブリンクロットの形成を生じさせることに関して記載している。
【０００９】
しかしながら、傷害性組織の止血を除いて、組織の結合を行おうとする（縫合された若しくはされない）組織を治癒する固有のプロセスにおいては、生じうる障害を回避し、そのプロセスを加速、補強又は完遂させることが必要となる。これは特に、局所的に生物学的接着剤を塗布することによって可能となる。
【００１０】
生物学的接着剤は、血液凝固の循環因子の混合物、特に線維素生成血漿蛋白質、及び第ＸＩＩＩ因子から構成される。それらは更に外因のトロンビン（フィブリノーゲンを不用性フィブリンに変えるために必要な酵素）の供給を必要とし、それは第ＸＩＩＩ因子とクロスリンクすることができる。更なる成分がフィブリノーゲンの凝固を続けるために必要とされ、例えばカルシウムイオン、ＣａＣｌ2、及びアプロチニン（抗線維素溶解特性のため）が添加される。
【００１１】
かかる生物学的接着剤は、多くの刊行物及び特許文献（例えば特許文献２から４）において報告され、また多くの臨床報告（“Ｆｉｂｒｉｎｋｌｅｂｅｒ”、ハイデルベルク会議、１９７６、Ｅｄ．Ｓｃｈａｔｔａｕｅｒ）においてそれらの適用事例が報告されている。
【００１２】
生物学的接着剤はまた、生物組織に多くの種類の生体材料（コラーゲン、アルギン酸塩及びポリ乳酸）を結合させるために用いられる場合もあり、それによりそれらの機械的特性が補強され、同時に生物体の細胞の自然な再成長（例えば人工皮膚）の強化のための下地が準備される。
【００１３】
市販の生物学的接着剤は、少なくとも上記の４つの成分を含有する乾燥形態のキットとして供給されており、トロンビン、フィブリノーゲン及び第ＸＩＩＩ因子によって凝固されうるタンパク質はトロンビンから隔離させている必要がある。なぜなら、それらの存在によってフィブリンの凝固が生じるからであり、実際、液体中に再調製し、混合した後、数秒というごく短時間のオーダーで凝固が生じる。以上のような理由により、生物学的接着キットは少なくとも２液型の形態で提供される。すなわち、１つはフィブリノーゲン及び第ＸＩＩＩ因子をベースとするバッチ、もう１つはトロンビンをベースとするバッチから構成される。生物学的接着剤は、例えばシリンジ及びニードルで両方のバッチの再調製及び混合を行い、更に縫合される組織上に塗布することによって上記の機能を発揮できる。
【００１４】
しかしながら、かかる再調製及び混合は比較的複雑で、特に緊急時の場合にはミスの元となる。すなわち、フィブリノーゲンが液体中でトロンビンと接触すると、他の成分の存在下で、フィブリンがほぼ即座に形成されるという事実が存在する。ゆえに、フィブリノーゲン−トロンビンの混合は、損傷又は手術部位への塗布の直前でなければならない。更に、生物学的接着剤を調剤する際に同じ装置を用いる場合には、装置内でフィブリンの凝固が生じる危険性が実際に存在し、それにより調剤及び塗布システムの操作の妨げとなりうる。
【００１５】
特許文献５は、特にフィブリノーゲン及び少なくとも１つの活性凝固因子を含有する予め活性化された２成分型の接着剤を記載している。当該凝固因子は第ＸＩＩａ因子、第ＸＩａ因子、第ＶＩＩａ因子及びカリクレインから選択され、その活性化はカルシウムイオンに依存せず、カルシウムイオンの単純な添加によって凝固し、フィブリンが形成される。フィブリノーゲンを濃縮し、一方でカルシウムイオンの作用下で凝固を可能にするのに必要な活性凝固因子を保持するため、この接着剤は同一のドナーから活性血漿を分画又は濃縮することによって調製される。かかる接着剤には、２液型接着剤に関して上記した欠点、及び混合のほぼ直後にフィブリンクロットを形成するという欠点が存在する。
【００１６】
特許文献６は、出血又は内部若しくは外部の損傷によって生じる出血を抑止又は停止させるために有用なＦＶＩＩａ及びフィブリノーゲンを含有する組成物を記載している。これらの組成物は患者への静脈内への注入用であり、全ての因子及びカルシウムイオンが存在する出血若しくは損傷部位で作用する。かかる組成物の使用に関連する欠点の理由としては、例えば血流内において、当該組成物が損傷又は出血部位から拡散したＦＴｓと相互作用するという事実が挙げられ、更に血液中に元々存在するカルシウムイオンによって、血液に存在する多くの因子を伴って早すぎる凝固を生じさせ、それにより出血領域から離れた部位における凝血塊の形成を生じさせ、更に血栓症の危険性を生じさせる。
【００１７】
ゆえに上記の欠点は、操作の迅速性が求められる外科手術及び／又は救急時において問題を生じさせうる。かかる欠点により、組織粘着の前にフィブリン凝集の形成が生じ、それにより組織の不均一な結合に至ることが観察されている。それは最終的には不規則な瘢痕となって残り、ｄｅｓｈｉｅｎｃｅ（瘢痕の両岸の分離）、及び術後の二次出血をもたらしうる凝血塊の収縮によって更に悪化する場合がある。
【特許文献１】国際公開第９３／０６８５５号パンフレット
【特許文献２】欧州特許第０３０５２４３号公報
【特許文献３】仏国特許第２４４８９００号公報
【特許文献４】仏国特許第２４４８９０１号公報
【特許文献５】欧州特許第０８５０６５０Ｂ１号公報
【特許文献６】国際公開第０２／０５５１０２Ａ１号パンフレット
【発明の開示】
【発明が解決しようとする課題】
【００１８】
これらの欠点を克服するため、２つの課題を解決する生物学的接着剤に関して鋭意研究を行った。第１の課題は、生物組織上への塗布前にフィブリンを形成する危険のない、血漿凝固因子を含有するトロンビンフリーの生物学的接着剤を提供することである。第２の課題は、傷害性組織の止血能力を増加させ、更に結合組織の治癒を促進する、かかる接着剤の製造を可能にすることである。
【課題を解決するための手段】
【００１９】
本発明は、第ＶＩＩａ因子及びカルシウムイオン供給源を含んでなる、安定な、トロンビンフリーの、フィブリノーゲンベースの、単一液体製剤の、治療用の生物学的接着剤に関する。
【００２０】
鋭意研究の結果、上記の目的の血漿因子及びカルシウムイオン供給源を含有する、生物組織、損傷又は生体材料における、止血アジュバント、ドレッシング、治癒アジュバント又は塞栓の形成による塞栓剤として利用可能な新規な薬剤（単一製剤の生物学的接着剤）を見出すに至った。
【００２１】
「単一製剤」とは、接着剤を構成する目的の３成分の共同使用のことを意味し、それにより単一の液体混合物を形成するものであり、従来技術の二液型接着剤に相対するものである。
【００２２】
ゆえにこれらの３成分は各々液体としての適合性（それらの組み合わせ）を有し、それにより単一製剤システムを形成し、フィブリンの準瞬間的な形成が生じない。これらの成分は、凝集プロセスが早期に開始される危険を伴わずに、使用前の少なくとも２４時間、その機能を発揮できる状態で、液体溶媒中で各々が存在するため、単一製剤としてのこの液状接着剤は安定といえる。接着剤のこの安定性は、３７℃で２４時間のインキュベートの間、フィブリンの形成が観察されないという事実により確認されている。
【００２３】
損傷又は血管組織上の生物学的接着剤の接触によって、トロンビンがｉｎ  ｓｉｔｕで形成されるため、本発明の生物学的接着剤は、損傷又は血管組織に塗布することにより、組織の修復機能を果たす。
【００２４】
実際、このｉｎ  ｓｉｔｕのトロンビン形成は第ＶＩＩａ因子によりなされ、それは全ての血漿成分と接触し、外因性又は内因性の凝固経路の進行を活性化する。上記で説明したように、その生物的活性はリン脂質性の内因性の組織因子との相互作用に依存している。活性化された第ＶＩＩ因子と組織因子との複合体は、カルシウムイオンの存在下で、血漿に存在する第Ｘ因子を活性化第Ｘ因子に変化させる。それは更にプロトロンビンをトロンビン（フィブリノーゲンの存在下でフィブリンを生成させることによって凝血塊を形成する反応に関与する酵素）に変化させる。
【００２５】
次いでフィブリンの形成がなされ、それにより、得られた生物学的接着剤の細胞相互間接着性が補強される。その際、リン脂質細胞成分への曝露により、フィブリンは手術により修復中の損傷又は組織において直接に形成される。
【００２６】
フィブリノーゲン及びカルシウムイオンは当然血液に存在するが、それらの関与により、従来技術の接着剤と比較して、本発明の生物学的接着剤によって、更に組織の結合の強化、止血の促進が可能となる。これは、本発明の接着剤の顕著な効果である。
【００２７】
本発明の生物学的接着剤には、他の多くの効果がある。その有効性は、特に救急時の場合、従来技術の生物学的接着剤を取り扱い、調製する際の欠点を克服するものであり、組織の接着結合能力を高め、瘢痕の形成のｄｅｓｈｉｅｎｃｅ及び二次出血を防止する。通常、結合プロセスは、１分以内で（例えば３０秒以内）効果的になされる。
【００２８】
例えば、本発明の接着剤は、損傷部位で見られるフィブリンの「塊」又はクラスターの形成を防止するが、それは接着剤の不均質な分布により説明され、おそらくその理由はフィブリンが接着前に形成されるためであると考えられる。形成された瘢痕は更に明白なラインを有し、一方では、例えばフィブリノーゲンの混合物を主成分とする２成分の生物学的接着剤を用いて、第ＸＩＩＩ因子の使用により得られた同じ時間における粘着結合と比較し、カルシウム・トロンビン混合物では上記の効果が観察されない。
【００２９】
フィブリンの形成が３７℃で２４時間のインキュベートにおいて観察されないという意味で、調製が容易で、かつ時間経過における安定性が増加している。例えば、室温で少なくとも２４時間（特に４８時間）、液体として安定である。
【００３０】
本発明の範囲内では、従来技術（好ましくは血漿性）のいかなるフィブリノーゲン及びＦＶＩＩａも上記接着剤の調製に適しているが、但し、液体として得られる接着剤のカルシウムイオンと適合性を有し、すなわち、特に使用の２４時間前に、それらの接触によってフィブリノーゲンのフィブリンへの凝固が生じない。実際、両方の有効成分（フィブリノーゲン及びＦＶＩＩａ）は、残余のトロンビン（ＦＩＩａ）の欠如に加えて、凝固因子が欠如していなければならず、さもないと、カルシウムイオンの存在下で内因性若しくは外因性の凝固カスケードが活性化する。かかる凝固因子は、第ＩＩ因子（ＦＩＩ）及びＦＸであり、好ましくはプロトロンビン因子（因子ＩＩ、ＶＩＩ、ＩＸ及びＸ）である。
【００３１】
例えば、フィブリノーゲンの最大許容できるＦＩＩ及びＦＸの含有量は、各々約０．１ＩＵ／ｇのフィブリノーゲンである。
【００３２】
好ましくは、接着剤中のフィブリノーゲン及びＦＶＩＩａは、予め活性化した血漿に由来するものではない。
【００３３】
フィブリノーゲン（好ましくはウイルス的に安全な）は、従来技術のあらゆる方法によって血漿から単離してもよい。出願人による仏国特許第０３０５２４３号に記載されている方法、又は仏国特許第０５０６６４０号を修飾した方法により、フィブリノーゲンを濃縮してもよい。トランスジェニックによるフィブリノーゲンを用いてもよい。
【００３４】
第ＸＩＩＩ因子（好ましくはウイルス的に安全な）は、あらゆる従来技術の方法により血漿から単離してもよく、好適には、血漿の分画の間、フィブリノーゲンを伴うタンパク質を形成させる。この場合、仏国特許第０５０６６４０号に記載されている方法の応用が好適である。トランスジェニックによる第ＸＩＩＩ因子を用いてもよい。
【００３５】
特に濃縮物としての、好ましくはウイルス的に安全な第ＶＩＩａ因子の調製も公知である。例えば、仏国特許第３４６２４１号を参照。組換え（Ｎｏｖｏ）又はトランスジェニックによる第ＶＩＩａ因子を用いてもよい。
【００３６】
しかしながら、上記のように、これらの有効成分は、特に特定の他の血漿因子の存在に関して所定の純度基準を満たさなければならない。
【００３７】
好ましくは、本発明の接着剤は更に第ＸＩＩＩ因子を含んでなる。第ＸＩＩＩ因子の外因の供給により、フィブリンネットワークのクロスリンク形成、及びそれによる凝固力及び治癒ポテンシャルを促進する。
【００３８】
第ＸＩＩＩ因子（特に濃縮された、好ましくはウイルス的に安全）は、従来技術の方法により単離でき、好適には血漿の分画の間、フィブリノーゲンを伴うタンパク質を形成させる。この場合、仏国特許第０５０６６４０号に記載されている方法の応用が好適である。トランスジェニックによる第ＸＩＩＩ因子を用いてもよい。
【００３９】
本発明の接着剤は、２つの利用可能な有効成分（フィブリノーゲン及びＦＶＩＩａ）及びカルシウムイオンを調製することにより、工業的規模で製造できる。
【００４０】
好ましくは、本発明の接着剤は、フィブリノーゲン、ＦＶＩＩａ及びカルシウムイオンのみを有効成分として含有する混合物を含んでなる。これらの３成分のみからなる上記接着剤は、２つの生物学上活性の成分を必要とするだけである点で有利であり、特に、有効かつ最小限の有効成分のみが必要となるため、工業的規模における接着剤の調製コストが低減される。
【００４１】
接着剤の構成成分は有効量で存在し、それにより接着剤は治療目的にかなう効果を奏する。
【００４２】
しかしながら、両方の有効成分、及びカルシウムイオンの含有が特異的に選択されるときに、上記の所望の効果が最も有効に得られることに留意すべきである。
【００４３】
ゆえに、生物学的接着剤は好ましくは、６０〜１２０ｍｇ／ｍＬ、好適には８０〜１００ｍｇ／ｍＬのフィブリノーゲンを含有する。例えば傷害性組織中では、接着剤のかかるフィブリノーゲン含有が最少の場合でも有効な接着結合を提供し、それにより、特に従来技術の二液型接着剤で１２５ｇ／ｃｍ2以上として、接着結合の引裂耐性を示す。
【００４４】
好ましくは、５０〜５００ＩＵ／ｍＬ、好適には７０〜３００ＩＵ／ｍＬ、特に好適には８０〜１２０ＩＵ／ｍＬの第ＶＩＩａ因子、及び４〜３０μｍｏｌ／ｍＬ、より好適には８〜２０μｍｏｌ／ｍＬのカルシウムイオン供給源を含んでなる。
【００４５】
第ＸＩＩＩ因子は３０ＩＵ／ｍＬ〜７００ＩＵ／ｍＬ、特に好適には１００ＩＵ／ｍＬ〜４００ＩＵ／ｍＬの量で存在する。
【００４６】
濃度及び活性は、最終的な液体状の生物学的接着剤溶液の１ｍＬあたりの数値である。かかる溶液は、好適には凍結乾燥させた成分の再調製によって得られる。上記のように、好ましくはかかる濃度で存在するこれらの血漿因子は、所望の機能性を本発明の生物学的接着剤付与するものである。
【００４７】
カルシウムイオン供給源は水溶性成分であり、臨床用途と適合性を有し、好ましくは、これらの成分は無機塩（例えば塩化カルシウム（ＣａＣｌ2））又はグルコン酸カルシウムである。
【００４８】
上記のように、本発明の生物学的接着剤は、使用する全ての成分が均質に混合された、即時使用可能な液体状態である。凍結形態であってもよいが、それにより、解凍後に生じがちなフィブリンの形成の危険性を伴わずに、少なくとも２年間この形態で長期貯蔵が可能となる。単純に室温で再融解するだけで、接着剤を充分に利用することが可能となる。
【００４９】
本発明はまた、上記のように第ＶＩＩａ因子及びカルシウムイオン供給源を含み、長期の貯蔵に適する凍結乾燥形態の治療用の、トロンビンフリーの、フィブリノーゲンベースの生物学的接着剤の提供に関する。周知の凍結乾燥技術を適用して、液体状態の接着剤を調製してもよい。かかる接着剤の調製は、有効成分とカルシウムイオン供給源を含有する凍結乾燥させた生成物と、生物学的適合性を有する溶媒又は水性溶媒との単純な混合による再調製のみが必要であるという決定的な利点を有し、安定な液状接着剤を得るために、その使用前にこの調製を行うのが好適である。更に、かかる凍結乾燥させた接着剤は、フィブリンの形成の危険性を生じさせることなく、再調製の後、室温で少なくとも２年間保存することもできる。その後、この接着剤の使用を必要とする患者の身体の部位に塗布して用いる。
【００５０】
本発明はまた、凍結乾燥させたフィブリノーゲン血漿因子のバッチ、凍結乾燥させたＦＶＩＩａ血漿因子のバッチ、粉末状のカルシウムイオン供給源のバッチ及び水性溶媒を含んでなるパッケージ手段を含んでなる、本発明に係る生物学的接着剤を調製するためのキットにも関する。
【００５１】
特にかかるキットには、乾燥形態の個々の３つのバッチ（各々本発明の接着剤を構成する成分の１つを含む）が包含されている。実際、必要に応じて、生物学的適合性を有する溶媒又は水性溶媒（例えば注射可能な純水（ＰＰＩ））のバッチを吸収し、容易に溶解する濃縮された中間物質を用いて、本発明の安定液体生物学的接着剤を得てもよい。かかるキットを構成することによる効果は、再調製の後にフィブリンの形成が観察されることなく、室温で少なくとも２年間、異なる３つの成分のバッチを長期貯蔵でき、更に単にそれらを溶解させることによって安定な、液体状の生物学的接着剤が得られるということである。
【００５２】
実際、パッケージ手段は、接着剤の成分を保存し、更に接着剤の使用の前に接着剤を調製するための手段として機能する。更に好適には、接着剤の少なくとも３つの異なる成分に関して、好適には各々につき少なくとも１つの容器を更に含んでなる。各容器は１つの成分を受容し、更に水性溶媒中に溶解させるために用いる。容器は、様々なガラスタイプ材料、及び生物学的適合性を有するポリマー製のフラスコであってもよい。
【００５３】
好ましくは、パッケージング手段は、好適には少なくとも３つの成分を含有する単一の容器である。かかるパッケージは、全成分を単純に溶解させ、即時使用できる液状接着剤を直接的に調製できるという利点がある。
【００５４】
好適には、キットはまた、水性溶媒で上記のバッチを溶解して調製した後に、液状接着剤を保持する手段を含んでなる。かかる手段として例えば適切な容量のシリンジ（接着剤の投与量に応じて、通常は２ｍｍ、好適には１ｍｍ未満の直径のニードルを有するもの）、あるいは従来公知のカテーテルが挙げられる。
【００５５】
好ましくは、上記のキットは、前記凍結乾燥させた血漿因子のバッチ及び粉末状のカルシウムイオン供給源のバッチの混合物からなる、２成分バッチを含んでなる。ゆえにこのキットは、一方では本発明のフィブリノーゲン及びＦＶＩＩａ血漿因子のバッチの凍結乾燥混合物を含んでなり、一方では粉末状のカルシウムイオン供給源のバッチ（凍結乾燥形態であってもよい）を含んでなり、それらは使用直前に、単に一緒にそれらを混合し、更にＰＰＩ水のような水性溶媒と混合して用いるだけでよい。あるいは、当該キットは、血漿因子のバッチの凍結乾燥混合物と、水溶液としてのカルシウムイオン供給源バッチを含んでなってもよい。
【００５６】
好ましくは、本発明のキットは、凍結乾燥させたフィブリノーゲン又はＦＶＩＩａ血漿因子の各バッチ、又は前記凍結乾燥させた血漿因子のバッチ混合物の２成分バッチが、薬学的に許容できる凍結乾燥安定剤の成分を含むという特徴も有する。同じことは、凍結乾燥させた生物学的接着剤にあてはまる。
【００５７】
実際、血漿因子を凍結乾燥させた各々の生成物は、血漿因子又はこれらの各々の因子を含有する濃縮液又は溶液を凍結乾燥することにより得られ、それは従来技術によって行ってもよく、又は好適には出願人による仏国特許出願０４０２００１号にて説明したように、凍結乾燥安定剤を含有させて行ってもよい。この場合、安定化剤は好適にはアルギニン、少なくとも１つの疎水性アミノ酸及びクエン酸三ナトリウムの混合物であり、グリシン及び／又はリジンを更に添加してもよい。好適には、各々の添加物の、濃縮タンパク質液１リットルあたりの濃度は、以下の通りである：
・アルギニン（米国特許第５３９９６７０号参照）：２５〜５０ｇ／Ｌ、好ましくは３５〜４５ｇ／Ｌ、
・クエン酸三ナトリウム：０．５〜約１２ｇ／Ｌ
・ロイシン、イソロイシン又はそれらの混合物：５〜１５ｇ／Ｌ、好ましくは９〜１１ｇ／Ｌ、
・グリシン及び／又はリジン：各々１〜５ｇ／Ｌ、好ましくは各々１．５〜２．５ｇ／Ｌ。
【００５８】
安定化剤には、必要に応じて公知の安定化アジュバントを含有させてもよい。
【００５９】
したがって、本発明はまた、生物学的適合性を有する水性溶媒中で、前記キット中の３つのバッチを再調製し、更に必要に応じて凍結させることにより、本発明に係る生物学的接着剤を調製するための、上記キットの使用に関する。
【００６０】
本発明はまた、上記の生物学的接着剤の薬剤としての使用にも関する。その場合は、接着剤を凍結形態で保存しておき、使用前にそれを溶解させるだけで十分である。凍結乾燥させた接着剤の場合、生物学的適合性を有する水性溶媒で再調製することにより、所望の効果を発揮させることができる。
【００６１】
ゆえに本発明の生物学的接着剤は、止血及び／又は傷害を受けた生物組織（例えば外科手術を受けた皮膚又は器官（脾臓、肝臓、肺、腸その他））治癒を目的とする薬剤の調製に用いられる。かかる組織としては、上記したように、血管組織又は出血損傷などが挙げられ、凝固カスケードのために必要な全ての因子が存在する限り、出血が非常に低く抑えられる。上記接着剤は、血漿の存在下で、例えば軟骨、コラーゲン、骨及び骨粉からなる郡から選択される結合組織における、傷害を受けた組織の治療用薬剤を調製するために用いることもできる。
【００６２】
更に、血漿の存在下で、ポリ乳酸又はアルギン酸塩からなる郡から選択される生体材料を吸収させることを目的とする薬剤の調製にも使用できる。したがって血漿の存在は、血漿因子が外因的に供給される特定のケースにおいて凝固カスケードを開始させるために必要とされる。好ましくは、適合性を有するか、若しくは自己由来の血漿である。この供給は、特に口腔病学又は歯科学の従来の外科手術において実施されうる。
【００６３】
生物組織は、培養され、分化した幹細胞に由来してもよい。
【００６４】
本発明の接着剤は通常外用薬、すなわち上記の通りの損傷又は他の損傷への（特に局所投与用の）ドレッシングであるが、当該薬剤は適切なゼラチンカプセルであってもよく、それは胃腸内で消化耐性があってもなくてもよく、その中に生物学的接着剤が乾燥形態で存在し、摂取された後に消化器官の出血の治療に供される。
【００６５】
本発明の接着剤は少なくとも２４時間安定であり、それにより流動性が維持され、またそれにより腫瘍標的の栄養血管を塞栓することを目的とする薬剤の調製にも使用することができる。これは好適には、これらの腫瘍標的まで従来のカテーテルを使用して非経口投与され、それにより腫瘍を「枯渇」させる。
【００６６】
接着剤を用いることにより、マイクロサージャリ（サンプリング、生検、ポリープ切除その他）による内視鏡システムで止血させてもよい。
【００６７】
顕微鏡下の手術（例えば眼科的処置）の場合、本発明の接着剤の流動性は、特にその安定性により、通常は１ｍｍ未満の直径、特に好適には０．５ｍｍ未満の直径の細針によっても使用可能となる。
【００６８】
以下の実施例で本発明を説明するが、本発明はその範囲に限定されない。
【実施例】
【００６９】
本発明の生物学的粘着性の試料（サンプルＡ）２ｍＬ（８０ｍｇ／ｍＬの塩化カルシウム、１００ＩＵ／ｍＬの第ＶＩＩａ因子及び５μｍｏｌ／ｍＬの濃度のフィブリノーゲンを含む）を調製し、一個のシリンジに充填した。
【００７０】
また従来技術の標準的な生物学的接着剤（サンプルＢ）も調製した。１つは８０ｍｇ／ｍＬの濃度のフィブリノーゲン、及び１００ＩＵ／ｍＬの第ＸＩＩＩ因子を含んでなる混合物Ｂ１を、もう１つは５００ＩＵ／ｍＬのカルシウム・トロンビン混合物を含んでなるＢ２から構成される接着剤である。それぞれの混合物Ｂ１及びＢ２を２つの異なるシリンジに充填し、それの端部において混合物Ｂ１及びＢ２が混合されるような、一本の針を含む態様で配置した。
【００７１】
麻酔したウサギを開腹手術した。肝臓を露出させ、当該器官の第１の切開を行い、このセクションにおける出血を生じさせた。湿布で過剰の血液を軽く拭い取った後、生物学的粘着剤のサンプルＢを、Ｂ１及びＢ２の同種の混合物が１つの針によって調製されうるように、両方のシリンジの内容物を同時に射出させ、上記で切開したセクションに直接投与した。損傷のバンクを３０秒間固定し、生物学的接着剤を固まらせた。
【００７２】
治癒後、形成された瘢痕が不規則であり、目視できるフィブリンが「塊」を形成しているのが観察された。おそらく接着前に形成されるフィブリンのため、これらのクラスターが不均質となったためであると考えられる。
【００７３】
第２の切開を、上記と同じ方法で、外科的に治療された肝臓の他の部位で実施した。本発明の生物学的粘着性のサンプルＡ（一個のシリンジに含まれる）を切開したセクションに塗布し、損傷のバンクを３５秒間固定し、生物学的接着剤を固まらせた。
【００７４】
治癒後、形成された瘢痕は明白なラインを有し、いかなるｄｅｓｈｉｅｎｃｅにも耐性を示した。過剰なフィブリンの痕跡が観察されず、すなわち過剰な接着剤が手術による損傷がない（組織因子が存在しない）場合、凝固しなかったことを示す。
【国際調査報告】
2009519070.tif 000002
2009519070.tif 000003
2009519070.tif 000004
2009519070.tif 000005
2009519070.tif 000006
2009519070.tif 000007